(57)【特許請求の範囲】
【請求項１】
使用を制限あるいは禁止している閉空間に入出する携帯電話機の電源をオフ・オンにする電源制御信号を前記入出する携帯電話機に送信すると共に、前記入出する携帯電話機から電話番号または認証コードを受信して前記入出する携帯電話機の通信休止設定・解除設定を行う信号あるいはメッセージを公衆基地局に送信する簡易基地局を設けた携帯電話システムにおいて、
前記入出する携帯電話機が、磁界により自己の電話番号または認証コードを送信するワイヤレスカードを内蔵し、
前記簡易基地局が、前記ワイヤレスカードを近接させることにより前記ワイヤレスカードからの前記電話番号または認証コードを受信すると共に、磁界により前記電源制御信号を前記ワイヤレスカードに送信するワイヤレスカードリーダライタを前記閉空間の境界に設置し、前記通信休止設定・解除設定を行う信号あるいはメッセージを前記公衆基地局に送信する無線通信手段を前記閉空間の外に設置し、
閉空間に入る携帯電話機からワイヤレスカードリーダライタで受信した電話番号あるいは認証コードを登録すると共に、前記閉空間に入る携帯電話機の位置を知らせるための着信待ち信号を前記無線通信手段により前記公衆基地局に送信し、
前記無線通信手段を介して前記閉空間に入った携帯電話機にかかった電話の相手先に対して現在電話に出られない旨のメッセージを前記無線通信手段により前記公衆基地局に送信すると共に、前記相手先の電話番号および受信日時等の着信履歴を記録し、
前記閉空間を出る携帯電話機から受信した電話番号あるいは認証コードを前記閉空間に入ったときに登録した電話番号あるいは認証コードと照合し、該当する電話番号あるいは認証コードにかかった電話の着信履歴を前記ワイヤレスカードリーダライタおよびワイヤレスカードを介して前記閉空間を出る携帯電話機に送信する着信履歴管理手段を備えたことを特徴とする携帯電話システム。
【請求項２】
着信履歴管理手段がかかった電話の着信履歴に加え相手先からのメッセージを記録し、携帯電話機が閉空間を出る際にワイヤレスカードリーダライタおよびワイヤレスカード間の通信を介して入手するようにしたことを特徴とする請求項１記載の携帯電話システム。
【発明の詳細な説明】
【０００１】
【発明の属する技術分野】
この発明は携帯電話機などの移動体通信端末の使用を制限あるいは禁止している閉空間において、電源をオフしている携帯電話機にかかってきた電話の着信履歴を管理、記録する携帯電話システムに関するものである。
【０００２】
【従来の技術】
携帯電話機が発生する電波によって電子機器に誤動作が発生する場合があることはよく知られたことである。また、携帯電話の着信音や会話音が公衆環境に影響を及ぼしたりする可能性がある。そのため、病院や航空機内などにおいては、携帯電話機の電源をオフにして上記問題が起こらないようにしている。また、携帯電話機の電源を自動的に切る一例として、特開平１１−６９４１２号公報「携帯電話システム」がある。これには、簡易基地局からの信号を受け、携帯電話機の無線部の電源を切断および投入するシステムが提案されている。
【０００３】
図３は従来の携帯電話システムの構成を示すブロック図である。図において、２は簡易基地局、３は公衆基地局、５，５’は簡易基地局２内の無線通信手段、８は簡易基地局２内の制御手段、９は携帯電話機である。
【０００４】
簡易基地局２は、携帯電話機などの移動体通信端末の使用を制限あるいは禁止している閉空間（以下、単に「閉空間」とする）の境界に設置され、携帯電話機９および公衆基地局３との通信を無線によって行う無線通信手段５，５’を備えている。また、簡易基地局２はこの無線通信手段５、５’を制御する制御手段８を備えている。一方、公衆基地局３は公衆電話網に接続されており、携帯電話機９と一般の電話の通信を可能にしている。
【０００５】
次に動作について説明する。
携帯電話機９が閉空間に入る際、閉空間の境界に設置された簡易基地局２から携帯電話機９に対して電源をオフにする電源制御信号が送信される。携帯電話機９は、簡易基地局２からの電源制御信号を受信すると電源をオフするが、その直前に簡易基地局２に対し、携帯電話機９の電話番号あるいは認証コードを送信する。簡易基地局２は携帯電話機９からの電話番号または認証コードを無線通信手段５’により受信し、携帯電話機９の通信休止設定を示す信号あるいはメッセージを無線通信手段５にて公衆基地局３に送信する。
次に、携帯電話機９が閉空間を出る際、簡易基地局２は携帯電話機９に対し電源をオンにする電源制御信号を送信する。すると、携帯電話機９は、簡易基地局２からの電源制御信号を受信し、電源をオンにすると共に、簡易基地局２に対し携帯電話機９の電話番号あるいは認証コードを送信する。簡易基地局２は携帯電話機９からの電話番号または認証コードを受信すると、携帯電話機９の通信休止解除設定を行う信号あるいはメッセージを無線通信手段５にて公衆基地局３に送信する。
【０００６】
【発明が解決しようとする課題】
従来の携帯電話システムは以上のように構成されているので、閉空間にある時に携帯電話機９の電源をオフすることで、携帯電話機９からの電波の放射による機器の誤動作を防ぐことは可能である。しかし、閉空間の境界に設置された簡易基地局３の無線通信手段５により携帯電話機９や公衆基地局３との通信を行っており、簡易基地局３から送信される電波が病院や航空機などの電子機器に影響を及ぼす可能性がある。また閉空間に入出せずとも、その境界付近を通過する人が持つ携帯電話機９の電源を誤ってオンあるいはオフの指示を出してしまう誤動作が起きるという問題があった。
【０００７】
また、簡易基地局２は、公衆基地局３に対し通信休止設定行う信号あるいはメッセージを送信するが、電源をオフしている時には携帯電話機９はまったく機能していないため、切断時にかかってきた電話を受信できず、オフ時の携帯電話機９には着信履歴が記録されないなどの課題があった。
【０００８】
この発明は上記のような課題を解決するためになされたもので、簡易基地局が他の電子機器に及ぼす可能性のある電波を放射することなく、閉空間に入出する携帯電話機の電源をオフ・オン制御する携帯電話システムを得ることを目的とする。
また、この発明は閉空間にあった携帯電話機が電源オフ時にかかった電話の着信履歴あるいはメッセージを保存しておき、退出時の電源オンの際に簡易基地局から入手できるようにする携帯電話システムを得ることを目的とする。
【０００９】
【課題を解決するための手段】
この発明に係る携帯電話システムは、使用を制限あるいは禁止している閉空間に入出する携帯電話機の電源をオフ・オンにする電源制御信号を入出する携帯電話機に送信すると共に、入出する携帯電話機から電話番号または認証コードを受信して入出する携帯電話機の通信休止設定・解除設定を行う信号あるいはメッセージを公衆基地局に送信する簡易基地局を設けた携帯電話システムにおいて、入出する携帯電話機が、磁界により自己の電話番号または認証コードを送信するワイヤレスカードを内蔵し、簡易基地局が、ワイヤレスカードを近接させることによりワイヤレスカードからの電話番号または認証コードを受信すると共に、磁界により電源制御信号をワイヤレスカードに送信するワイヤレスカードリーダライタを閉空間の境界に設置し、通信休止設定・解除設定を行う信号あるいはメッセージを公衆基地局に送信する無線通信手段を閉空間の外に設置し、閉空間に入る携帯電話機からワイヤレスカードリーダで受信した電話番号あるいは認証コードを登録すると共に、閉空間に入る携帯電話機の位置を知らせるための着信待ち信号を無線通信手段により公衆基地局に送信し、無線通信手段を介して閉空間に入った携帯電話機にかかった電話の相手先に対して現在電話に出られない旨のメッセージを無線通信手段により公衆基地局に送信すると共に、相手先の電話番号および受信日時等の着信履歴を記録し、閉空間を出る携帯電話機から受信した電話番号あるいは認証コードを閉空間に入ったときに登録した電話番号あるいは認証コードと照合し、該当する電話番号あるいは認証コードにかかった電話の着信履歴をワイヤレスカードリーダおよびワイヤレスカードを介して閉空間を出る携帯電話機に送信する着信履歴管理手段を備えたものである。
【００１０】
この発明に係る携帯電話システムは、着信履歴管理手段がかかった電話の着信履歴に加え相手先からのメッセージを記録し、携帯電話機が閉空間を出る際にワイヤレスカードリーダおよびワイヤレスカード間の通信を介して入手するようにしたものである。
【００１１】
【発明の実施の形態】
以下、この発明の実施の一形態を説明する。
実施の形態１．
図１は、この発明の実施の形態１による携帯電話システムの構成を示すブロック図である。図において、１はワイヤレスカード（以下“ＷＬＣ”とする）内蔵携帯電話機、２は簡易基地局、３は公衆基地局、４はＷＬＣ、５は無線通信手段、６は着信履歴管理手段、７はワイヤレスカードリーダライタ（以下“Ｒ／Ｗ”とする）、８は制御手段である。
【００１２】
ここで適用されるＷＬＣ４は、ＷＬＣ内蔵携帯電話機１に組み込み型または着脱可能な構造で内蔵されるものであり、Ｒ／Ｗ７との間で磁界により通信を行えるものである。この場合の磁界による通信は、ＷＬＣ内蔵携帯電話機１をＲ／Ｗ７に触れる程度に近接させることによって成り立つ範囲（非接触型）のものである。ＷＬＣ４は、ＩＣ化されたカードであるが、携帯電話機内部との接続はコネクタ等を介する接触構造となる。機能上の基本構成としては、Ｒ／Ｗ７からの磁界を介して与えられる電源制御信号を受信する受信部と、電話番号あるいは認証コードを磁界を介して送信する送信部と、受信部が受信した電源制御信号に従ってＷＬＣ内蔵携帯電話機１の無線通信手段の電源をオンまたはオフする電源制御部とを備えた携帯電話制御器である。また、送信部から電話番号あるいは認証コードを送信した際に、その電話番号あるいは認証コードに対応してＲ／Ｗ７側から送信されてくる着信履歴あるいはメッセージを受信部が受信した場合には、受信部はその着信履歴あるいはメッセージをＷＬＣ内携帯電話機１へ出力する機能を持っている。なお、この実施の形態１では、ＷＬＣ４で示される携帯電話制御器について説明するが、この携帯電話制御器の機能構成は、カード化したものでなく携帯電話機の他の回路基板上に一体化して形成しても良いものである。
【００１３】
簡易基地局２は、無線通信手段５と着信履歴管理手段６とＲ／Ｗ７と制御手段８から構成される。制御手段８は、無線通信手段５と着信履歴管理手段６およびＲ／Ｗ７を制御する。無線通信手段５は閉空間に影響を及ぼさない場所、例えば病院の屋上など閉空間の外に設置される。一方、Ｒ／Ｗ７は、閉空間の境界またはその付近に設置される。Ｒ／Ｗ７は、近接されたＷＬＣ内蔵携帯電話機１の電源をオン・オフするための電源制御信号を磁界を介して送信し、近接されたＷＬＣ内蔵携帯電話１から磁界を介して送信される電話番号あるいは認証コードを受信して着信履歴管理手段６へ出力する送受信部を備えている。また、Ｒ／Ｗ７の送受信部は、受信した電話番号あるいは認証コードに対応する着信履歴あるいはメッセージを着信履歴管理手段６から得た場合、近接されたＷＬＣ内蔵携帯電話機１へ磁界を介して送信する機能を持っている。
【００１４】
次に動作について説明する。
図２は実施の形態１に係る動作を示すフローチャートである。
ＷＬＣ内蔵携帯電話機１が閉空間に入る際、閉空間の境界に設置されたＲ／Ｗ７にＷＬＣ内蔵携帯電話機１のＷＬＣ４部分を近接させると、ＷＬＣ内蔵携帯電話機１は自己の電話番号あるいは認証コードをＷＬＣ４とＲ／Ｗ７間の磁界の通信により簡易基地局２に送信する（ステップＳＴ１）。簡易基地局２は、ＷＬＣ内蔵携帯電話機１からの電話番号または認証コードを受信すると、着信履歴管理手段６に電話番号あるいは認証コードを登録すると共に、公衆基地局３に対し、ＷＬＣ内蔵携帯電話機１の位置を知らせるための着信待ち信号を無線通信手段５により送信する（ステップＳＴ２）。また、簡易基地局２は、Ｒ／Ｗ７とＷＬＣ４を介してＷＬＣ内蔵携帯電話機１に対し電源オフの制御信号を送信する。ＷＬＣ内蔵携帯電話機１は、簡易基地局２からの電源制御信号を受信すると、自己の電話機能の電源をオフにする（ステップＳＴ３）。ステップＳＴ２で用いられる着信待ち信号は、一般的に、電話をかけていない状態でも電源が入っていれば、携帯電話機の位置をエリア内の基地局に把握させるために定期的に送信するものと同じ信号である。
【００１５】
次に、閉空間内にあるときにＷＬＣ内蔵携帯電話機１にかかってきた電話に対しては、簡易基地局２が無線通信手段５により受信する。すると、着信履歴管理手段６はかかってきた相手先に対し、現在電話に出られない旨のメッセージを、無線通信手段５により公衆基地局３を介して送信する。この時、着信履歴管理手段６は、かかってきた相手先の電話番号および受信日時を記録する。また、必要に応じて相手先のメッセージを記録する（ステップＳＴ４）。
【００１６】
ＷＬＣ内蔵携帯電話機１が閉空間を出る際には、閉空間の境界に設置されたＲ／Ｗ７にＷＬＣ内蔵携帯電話機１のＷＬＣ４部分を近接させる。ＷＬＣ内蔵携帯電話機１は自己の電話番号あるいは認証コードをＷＬＣ４とＲ／Ｗ７間の通信により簡易基地局２に送信する（ステップＳＴ５）。簡易基地局２は、受信したＷＬＣ内蔵携帯電話機１の電話番号あるいは認証コードを、入場時に着信履歴管理手段６に登録されていた電話番号あるいは認証コードと照合する。該当する電話番号あるいは認証コードがある場合には、そのＷＬＣ内蔵携帯電話機１にかかった電話の着信履歴またはメッセージ（電話がかかっていない場合はその旨のメッセージ）をＲ／Ｗ７およびＷＬＣ４を通してＷＬＣ内蔵携帯電話機１に送信すると共に、ＷＬＣ内蔵携帯電話機１の電源をオンする電源制御信号を送信する。送信後、着信履歴管理手段６内の該当する着信履歴やメッセージのデータを消去する（ステップＳＴ６）。ＷＬＣ内蔵携帯電話機１は、受信した着信履歴またはメッセージをＷＬＣ４に記録すると共に、ＷＬＣ４電源制御信号により電話機能の電源をオンにする（ステップＳＴ７）。その後、携帯電話利用者は簡易基地局２より受信した着信履歴やメッセージを確認する（ステップＳＴ８）。
【００１７】
ここで、ＷＬＣ４とＲ／Ｗ７との間では、非常に微弱な磁界により互いが近接した状態で通信を行うようになっているため、外部への放射が殆ど無く、電波の影響を受けやすい他の電子機器へ影響を及ぼすことはない。また、このことにより、閉空間の境界付近を通過する人の携帯電話機が誤動作することもない。
さらに、ＷＬＣ４とＲ／Ｗ７との間のデータの送受信は微弱な電波により行うので、ＷＬＣ内蔵携帯電話機１の電話機能の電源をオフにした状態でも小容量のパワーでデータの送受信が可能である。
加えて、ワイヤレスカードを使って近接させてデータの送受信を行うので、他の携帯電話機との干渉はなく、また第三者に情報の漏洩をすることもなくセキュリティも確保される。
【００１８】
この発明に関して上記のように実施の形態１により説明してきたが、利用上で幾つかのことが想定される。
例えば、閉空間に入るときにＲ／Ｗ７にＷＬＣ内蔵携帯電話機１のＷＬＣ４部分を近接させるが、閉空間から出るときにこの操作を忘れてしまう場合が考えられる。その場合、登録したデータを消去すること、通信休止解除設定をすること、および自己のＷＬＣ内蔵携帯電話機１の電源を入れることが必要となる。電源は自分で入れれば解決するから問題ない。そこで、簡易基地局２に、制御手段８を遠隔制御できる回線を設けておき、閉空間から出てＷＬＣ内蔵携帯電話機１の電源を入れると、簡易基地局２に自動的にダイヤルされるようにし、通信休止解除設定を行い、登録したデータを消去するようにすればよい。また、このとき着信履歴やメッセージがあれば、ＷＬＣ内蔵携帯電話機１に転送できるようにすればよい。
また、閉空間に入るときに近接操作を忘れた人や予め自分で電源を切って入った人が、閉空間から出る際に近接操作を行う場合が考えられる。出るときに近接操作をしても電源が元々オフ状態であれば、照合する対象がないので問題ないが、出るときに電源がオンしている場合には、電話番号あるいは認証コードを登録して、データが着信履歴管理手段６に残ってしまうし、閉空間外に出たのに通信休止設定がされてしまうことになる。そこで、このようなケースを防ぐために、Ｒ／Ｗ７に「入館」、「退館」等のボタンを設けておき、このボタンを入出時に押してから近接操作を行うことで所定の処理動作が行われるようにすれば、このようなケースを防ぐことができる。
【００１９】
以上のように、この実施の形態１によれば、簡易基地局は閉空間に対し入出する携帯電話機の電源のオフ・オンを行う通信および公衆基地局と通信休止設定・解除設定を行う通信による他の電子機器を誤動作させる可能性のある電波の放射を抑制し、また携帯電話機は閉空間にあり電源をオフしている状態でかかってきた電話の着信履歴あるいは相手先からのメッセージを閉空間から出るときに簡易基地局から入手できる効果が得られる。加えて他の携帯電話機との干渉もなく、情報の漏洩をすることもなくセキュリティも確保できる効果が得られる。
【００２０】
【発明の効果】
以上のように、この発明によれば、使用を制限あるいは禁止している閉空間に入出する携帯電話機の電源をオフ・オンにする電源制御信号を入出する携帯電話機に送信すると共に、入出する携帯電話機から電話番号または認証コードを受信して入出する携帯電話機の通信休止設定・解除設定を行う信号あるいはメッセージを公衆基地局に送信する簡易基地局を設けた携帯電話システムにおいて、入出する携帯電話機が、磁界により自己の電話番号または認証コードを送信するワイヤレスカードを内蔵し、簡易基地局が、ワイヤレスカードを近接させることによりワイヤレスカードからの電話番号または認証コードを受信すると共に、磁界により電源制御信号をワイヤレスカードに送信するワイヤレスカードリーダライタを閉空間の境界に設置し、通信休止設定・解除設定を行う信号あるいはメッセージを公衆基地局に送信する無線通信手段を閉空間の外に設置するように構成したので、簡易基地局は閉空間に対し入出する携帯電話機の電源のオフ・オンを行う通信および公衆基地局と通信休止設定・解除設定を行う通信による他の機器を誤動作させる可能性がある電波の放射を抑制する効果がある。
また、この発明によれば、簡易基地局は、閉空間に入る携帯電話機からワイヤレスカードリーダライタで受信した電話番号あるいは認証コードを登録すると共に、閉空間に入る携帯電話機の位置を知らせるための着信待ち信号を無線通信手段により公衆基地局に送信し、無線通信手段を介して閉空間に入った携帯電話機にかかった電話の相手先に対して現在電話に出られない旨のメッセージを無線通信手段により公衆基地局に送信すると共に、相手先の電話番号および受信日時等の着信履歴を記録し、閉空間を出る携帯電話機から受信した電話番号あるいは認証コードを閉空間に入ったときに登録した電話番号あるいは認証コードと照合し、該当する電話番号あるいは認証コードにかかった電話の着信履歴をワイヤレスカードリーダライタおよびワイヤレスカードを介して閉空間を出る携帯電話機に送信する着信履歴管理手段を備えるように構成したので、携帯電話機や公衆基地局との通信による他の機器を誤動作させる可能性のある電波の放射を抑制する効果があり、また携帯電話機は閉空間にあり電源をオフしている状態でかかってきた電話の着信履歴を閉空間から出るときに入手できる効果がある。
【００２１】
この発明によれば、着信履歴管理手段がかかった電話の着信履歴に加え相手先からのメッセージを記録し、携帯電話機が閉空間を出る際にワイヤレスカードリーダライタおよびワイヤレスカード間の通信を介して入手するように構成したので、より確実な着信情報を提供できる効果がある。
【図面の簡単な説明】
【図１】  この発明の実施の形態１による携帯電話システムを示すブロック図である。
【図２】  実施の形態１の動作を説明するフローチャートである。
【図３】  従来の携帯電話システムを示すブロック図である。
【符号の説明】
１  ワイヤレスカード内蔵携帯電話機、２  簡易基地局、３  公衆基地局、４  ワイヤレスカード、５  無線通信手段、６  着信履歴管理手段、７  ワイヤレスカードリーダライタ、８  制御手段。
【図１】
0004083401.tif 000002
【図２】
0004083401.tif 000003
【図３】
0004083401.tif 000004